(57)【要約】【課題】  商品画像を閲覧した人の商品の購買意欲を引き出すような商品画像を容易に撮影することができる撮影支援システム及び撮影装置を提供する。【解決手段】  撮影装置１００において、撮影支援サービス提供装置１０から取得する構図サンプルデータを選択するための構図サンプル選択メニューが表示され（ステップＳ１４）、撮影目的、撮影対象及び掲載媒体等のメニュー項目が選択されると（ステップＳ１６）、メニュー項目の選択結果が撮影支援サービス提供装置１０に送信される（ステップＳ１８）。次に、撮影支援サービス提供装置１０において、構図サンプル検索・送信部２２により、上記メニュー項目の選択結果に適合する構図サンプルデータが検索されて（ステップＳ２０）、撮影装置１００に送信される（ステップＳ２２）。撮影装置１００では、この構図サンプルデータが撮影装置１００の表示部１３４に透過表示される（ステップＳ２４）。【選択図】      図６
2008048331.tif 000002
【特許請求の範囲】
【請求項１】
撮影支援サービス提供装置と、撮影装置とを備える撮影支援システムにおいて、
前記撮影支援サービス提供装置は、
撮影する対象に応じた構図を示す構図サンプルデータを記録する記録手段と、
前記撮影装置からのリクエストに応じて前記構図サンプルデータを前記撮影装置に送信する構図サンプル送信手段とを備え、
前記撮影装置は、
画像を撮影する撮影手段と、
撮影する対象を選択する選択手段と、
撮影する対象の選択結果を含み、前記構図サンプルデータの送信を要求するリクエストを前記撮影支援サービス提供装置に送信するリクエスト送信手段と、
前記撮影支援サービス提供装置から構図サンプルデータを受信する構図サンプル受信手段と、
ビューファインダとして用いられる表示手段であって、画像の撮影時に前記構図サンプルデータを表示する表示手段と、
を備えることを特徴とする撮影支援システム。
【請求項２】
撮影支援サービス提供装置と、撮影装置とを備える撮影支援システムにおいて、
前記撮影支援サービス提供装置は、
評価の対象となる画像の画像種のリストを記録する記録手段と、
前記撮影装置から撮影画像及び画像種の情報を受信する受信手段と、
前記撮影装置から受信した撮影画像を評価する撮影画像評価手段と、
前記撮影画像評価手段による評価結果を前記撮影装置に送信する評価結果送信手段とを備え、
前記撮影装置は、
画像を撮影する撮影手段と、
撮影画像の画像種を選択する選択手段と、
前記撮影手段により撮影された撮影画像と、前記撮影画像の画像種の選択結果とを含み、撮影支援サービス提供装置に画像の評価を要求するリクエストを送信するリクエスト送信手段と、
前記撮影支援サービス提供装置から前記撮影画像の評価結果を受信する評価結果受信手段と、
前記撮影画像の表示時に前記評価結果を表示する表示手段と、
を備えることを特徴とする撮影支援システム。
【請求項３】
撮影支援サービス提供装置と、撮影装置とを備える撮影支援システムにおいて、
前記撮影支援サービス提供装置は、
撮影する対象に応じた構図を示す構図サンプルデータを記録する記録手段と、
前記撮影装置からのリクエストに応じて前記構図サンプルデータを前記撮影装置に送信する構図サンプル送信手段と、
評価の対象となる画像の画像種のリストを記録する記録手段と、
前記撮影装置から撮影画像及び画像種の情報を受信する受信手段と、
前記撮影装置から受信した撮影画像を評価する撮影画像評価手段と、
前記撮影画像評価手段による評価結果を前記撮影装置に送信する評価結果送信手段とを備え、
前記撮影装置は、
画像を撮影する撮影手段と、
撮影する対象を選択する選択手段と、
撮影する対象の選択結果を含み、前記構図サンプルデータの送信を要求するリクエストを前記撮影支援サービス提供装置に送信する第１のリクエスト送信手段と、
前記撮影支援サービス提供装置から構図サンプルデータを受信する構図サンプル受信手段と、
ビューファインダとして用いられる表示手段であって、画像の撮影時に前記構図サンプルデータを表示する表示手段と、
撮影画像の画像種を選択する選択手段と、
前記撮影手段により撮影された撮影画像と、前記撮影画像の画像種の選択結果とを含み、撮影支援サービス提供装置に画像の評価を要求するリクエストを送信する第２のリクエスト送信手段と、
前記撮影支援サービス提供装置から前記撮影画像の評価結果を受信する評価結果受信手段と、
前記撮影画像の表示時に前記評価結果を前記表示手段に表示する表示制御手段と、
を備えることを特徴とする撮影支援システム。
【請求項４】
前記撮影装置は、前記構図サンプルデータから撮影対象に応じた構図の情報を取得する取得手段を更に備え、
前記表示手段は、前記構図サンプルデータをビューファインダに表示されたスルームービー画上に透過させて表示することを特徴とする請求項１又は３記載の撮影支援システム。
【請求項５】
前記撮影装置は、前記構図サンプルデータから撮影対象に応じたサンプル画像を取得する取得手段を更に備え、
前記表示手段は、前記構図サンプルデータをビューファインダに表示されたスルームービー画と並べて表示することを特徴とする請求項１又は３記載の撮影支援システム。
【請求項６】
画像を撮影する撮影手段と、
撮影する対象を選択する選択手段と、
撮影する対象の選択結果を含み、前記撮影する対象に応じた構図を示す構図サンプルデータの送信を要求するリクエストを撮影支援サービス提供装置に送信するリクエスト送信手段と、
前記撮影支援サービス提供装置から構図サンプルデータを受信する構図サンプル受信手段と、
ビューファインダとして用いられる表示手段であって、画像の撮影時に前記構図サンプルデータを表示する表示手段と、
を備えることを特徴とする撮影装置。
【請求項７】
画像を撮影する撮影手段と、
撮影する画像の画像種を選択する選択手段と、
前記撮影手段により撮影された撮影画像と、前記撮影画像の画像種の選択結果とを含み、撮影支援サービス提供装置に画像の評価を要求するリクエストを送信するリクエスト送信手段と、
前記撮影支援サービス提供装置から前記撮影画像の評価結果を受信する評価結果受信手段と、
前記撮影画像の表示時に前記評価結果を表示する表示手段と、
を備えることを特徴とする撮影装置。
【請求項８】
画像を撮影する撮影手段と、
撮影する対象を選択する選択手段と、
撮影する対象の選択結果を含み、前記撮影する対象に応じた構図を示す構図サンプルデータの送信を要求するリクエストを撮影支援サービス提供装置に送信する第１のリクエスト送信手段と、
前記撮影支援サービス提供装置から構図サンプルデータを受信する構図サンプル受信手段と、
ビューファインダとして用いられる表示手段であって、画像の撮影時に前記構図サンプルデータを表示する表示手段と、
撮影画像の画像種を選択する選択手段と、
前記撮影手段により撮影された撮影画像と、前記撮影画像の画像種の選択結果とを含み、撮影支援サービス提供装置に画像の評価を要求するリクエストを送信する第２のリクエスト送信手段と、
前記撮影支援サービス提供装置から前記撮影画像の評価結果を受信する評価結果受信手段と、
前記撮影画像の表示時に前記評価結果を前記表示手段に表示する表示制御手段と、
を備えることを特徴とする撮影装置。
【請求項９】
前記構図サンプルデータから撮影対象に応じた構図の情報を取得する取得手段を更に備え、
前記表示手段は、前記構図サンプルデータをビューファインダに表示されたスルームービー画上に透過させて表示することを特徴とする請求項６又は８記載の撮影装置。
【請求項１０】
前記構図サンプルデータから撮影対象に応じたサンプル画像を取得する取得手段を更に備え、
前記表示手段は、前記構図サンプルデータをビューファインダに表示されたスルームービー画と並べて表示することを特徴とする請求項６又は８記載の撮影装置。
【発明の詳細な説明】
【技術分野】
【０００１】
本発明は撮影支援システム及び撮影装置に係り、特に画像の撮影を支援するための技術に関する。
【背景技術】
【０００２】
特許文献１には、撮像手段と、撮像手段の情報や、撮影時の環境情報被写体に関する情報等の撮影情報データをサーバから予めダウンロードして保持する保持手段を有し、撮影時には、予めダウンロードした撮影情報データから撮影情報を選択することで、撮影に合わせた撮影ガイドが表示装置に表示されるとともに、撮影情報データに従い撮像手段のパラメータを設定して撮影する撮影補助機能の付いたカメラが開示されている。
【特許文献１】特開２００５−１８４６１０号公報
【発明の開示】
【発明が解決しようとする課題】
【０００３】
近年、ウェブ上で商品を売買するＥＣサイト（電子商取引サイト）やオークションサイトが広く利用されるようになっている。ＥＣサイトやオークションサイトを利用して商品を販売する場合に、商品を売る側のユーザは商品画像を自分で撮影してサイトに掲載する。しかしながら、上記のようなサイトを利用して商品を販売するユーザは、撮影に関する知識がないことが多く、商品画像を撮影するのは困難であった。サイトに掲載した商品画像の良し悪しは、商品の売れ行きを左右する重要な要素であるため、商品画像を閲覧した人の購買意欲を引き出すような商品画像の撮影を支援する仕組みに対する需要が高まっている。
【０００４】
本発明はこのような事情に鑑みてなされたもので、商品画像を閲覧した人の商品の購買意欲を引き出すような商品画像を容易に撮影することができる撮影支援システム及び撮影装置を提供することを目的とする。
【課題を解決するための手段】
【０００５】
上記課題を解決するために、本願発明１に係る撮影支援システムは、撮影支援サービス提供装置と、撮影装置とを備える撮影支援システムにおいて、前記撮影支援サービス提供装置は、撮影する対象に応じた構図を示す構図サンプルデータを記録する記録手段と、前記撮影装置からのリクエストに応じて前記構図サンプルデータを前記撮影装置に送信する構図サンプル送信手段とを備え、前記撮影装置は、画像を撮影する撮影手段と、撮影する対象を選択する選択手段と、撮影する対象の選択結果を含み、前記構図サンプルデータの送信を要求するリクエストを前記撮影支援サービス提供装置に送信するリクエスト送信手段と、前記撮影支援サービス提供装置から構図サンプルデータを受信する構図サンプル受信手段と、ビューファインダとして用いられる表示手段であって、画像の撮影時に前記構図サンプルデータを表示する表示手段とを備えることを特徴とする。
【０００６】
本願発明１によれば、撮影目的や撮影対象、記載媒体等に応じた構図サンプルデータを使用して構図を設定することにより、商品画像を閲覧した人の商品の購買意欲を引き出すような商品画像を容易に撮影することができる。
【０００７】
本願発明２に係る撮影支援システムは、撮影支援サービス提供装置と、撮影装置とを備える撮影支援システムにおいて、前記撮影支援サービス提供装置は、評価の対象となる画像の画像種のリストを記録する記録手段と、前記撮影装置から撮影画像及び画像種の情報を受信する受信手段と、前記撮影装置から受信した撮影画像を評価する撮影画像評価手段と、前記撮影画像評価手段による評価結果を前記撮影装置に送信する評価結果送信手段とを備え、前記撮影装置は、画像を撮影する撮影手段と、撮影画像の画像種を選択する選択手段と、前記撮影手段により撮影された撮影画像と、前記撮影画像の画像種の選択結果とを含み、撮影支援サービス提供装置に画像の評価を要求するリクエストを送信するリクエスト送信手段と、前記撮影支援サービス提供装置から前記撮影画像の評価結果を受信する評価結果受信手段と、前記撮影画像の表示時に前記評価結果を表示する表示手段とを備えることを特徴とする。
【０００８】
本願発明２によれば、撮影目的や撮影対象、記載媒体等に応じて撮影画像が評価されてその評価結果が表示されるので、ユーザは、この評価結果を参考にして再度撮影を行うことができ、商品画像を閲覧した人の商品の購買意欲を引き出すような商品画像を容易に撮影することができる。
【０００９】
本願発明３に係る撮影支援システムは、撮影支援サービス提供装置と、撮影装置とを備える撮影支援システムにおいて、前記撮影支援サービス提供装置は、撮影する対象に応じた構図を示す構図サンプルデータを記録する記録手段と、前記撮影装置からのリクエストに応じて前記構図サンプルデータを前記撮影装置に送信する構図サンプル送信手段と、評価の対象となる画像の画像種のリストを記録する記録手段と、前記撮影装置から撮影画像及び画像種の情報を受信する受信手段と、前記撮影装置から受信した撮影画像を評価する撮影画像評価手段と、前記撮影画像評価手段による評価結果を前記撮影装置に送信する評価結果送信手段とを備え、前記撮影装置は、画像を撮影する撮影手段と、撮影する対象を選択する選択手段と、撮影する対象の選択結果を含み、前記構図サンプルデータの送信を要求するリクエストを前記撮影支援サービス提供装置に送信する第１のリクエスト送信手段と、前記撮影支援サービス提供装置から構図サンプルデータを受信する構図サンプル受信手段と、ビューファインダとして用いられる表示手段であって、画像の撮影時に前記構図サンプルデータを表示する表示手段と、撮影画像の画像種を選択する選択手段と、前記撮影手段により撮影された撮影画像と、前記撮影画像の画像種の選択結果とを含み、撮影支援サービス提供装置に画像の評価を要求するリクエストを送信する第２のリクエスト送信手段と、前記撮影支援サービス提供装置から前記撮影画像の評価結果を受信する評価結果受信手段と、前記撮影画像の表示時に前記評価結果を前記表示手段に表示する表示制御手段とを備えることを特徴とする。
【００１０】
本願発明３によれば、撮影目的や撮影対象、記載媒体等に応じた構図サンプルデータを使用して構図を設定するとともに、撮影目的や撮影対象、記載媒体等に応じて撮影画像が評価されてその評価結果が表示されるので、ユーザは、この評価結果を参考にして再度撮影を行うことができ、商品画像を閲覧した人の商品の購買意欲を引き出すような商品画像を容易に撮影することができる。
【００１１】
本願発明４は、本願発明１又は３の撮影支援システムにおいて、前記撮影装置は、前記構図サンプルデータから撮影対象に応じた構図の情報を取得する取得手段を更に備え、前記表示手段は、前記構図サンプルデータをビューファインダに表示されたスルームービー画上に透過させて表示することを特徴とする。
【００１２】
本願発明４によれば、撮影時に構図サンプルデータをスルームービー画上に透過表示させて構図を設定することができる。
【００１３】
本願発明５は、本願発明１又は３の撮影支援システムにおいて、前記撮影装置は、前記構図サンプルデータから撮影対象に応じたサンプル画像を取得する取得手段を更に備え、前記表示手段は、前記構図サンプルデータをビューファインダに表示されたスルームービー画と並べて表示することを特徴とする。
【００１４】
本願発明５によれば、撮影時に、サンプル画像を見ながら構図を設定することができる。
【００１５】
本願発明６に係る撮影装置は、画像を撮影する撮影手段と、撮影する対象を選択する選択手段と、撮影する対象の選択結果を含み、前記撮影する対象に応じた構図を示す構図サンプルデータの送信を要求するリクエストを撮影支援サービス提供装置に送信するリクエスト送信手段と、前記撮影支援サービス提供装置から構図サンプルデータを受信する構図サンプル受信手段と、ビューファインダとして用いられる表示手段であって、画像の撮影時に前記構図サンプルデータを表示する表示手段とを備えることを特徴とする。
【００１６】
本願発明７に係る撮影装置は、画像を撮影する撮影手段と、撮影する画像の画像種を選択する選択手段と、前記撮影手段により撮影された撮影画像と、前記撮影画像の画像種の選択結果とを含み、撮影支援サービス提供装置に画像の評価を要求するリクエストを送信するリクエスト送信手段と、前記撮影支援サービス提供装置から前記撮影画像の評価結果を受信する評価結果受信手段と、前記撮影画像の表示時に前記評価結果を表示する表示手段とを備えることを特徴とする。
【００１７】
本願発明８に係る撮影装置は、画像を撮影する撮影手段と、撮影する対象を選択する選択手段と、撮影する対象の選択結果を含み、前記撮影する対象に応じた構図を示す構図サンプルデータの送信を要求するリクエストを撮影支援サービス提供装置に送信する第１のリクエスト送信手段と、前記撮影支援サービス提供装置から構図サンプルデータを受信する構図サンプル受信手段と、ビューファインダとして用いられる表示手段であって、画像の撮影時に前記構図サンプルデータを表示する表示手段と、撮影画像の画像種を選択する選択手段と、前記撮影手段により撮影された撮影画像と、前記撮影画像の画像種の選択結果とを含み、撮影支援サービス提供装置に画像の評価を要求するリクエストを送信する第２のリクエスト送信手段と、前記撮影支援サービス提供装置から前記撮影画像の評価結果を受信する評価結果受信手段と、前記撮影画像の表示時に前記評価結果を前記表示手段に表示する表示制御手段とを備えることを特徴とする。
【００１８】
本願発明９は、本願発明６又は８の撮影装置において、前記構図サンプルデータから撮影対象に応じた構図の情報を取得する取得手段を更に備え、前記表示手段は、前記構図サンプルデータをビューファインダに表示されたスルームービー画上に透過させて表示することを特徴とする。
【００１９】
本願発明１０は、本願発明６又は８の撮影装置において、前記構図サンプルデータから撮影対象に応じたサンプル画像を取得する取得手段を更に備え、前記表示手段は、前記構図サンプルデータをビューファインダに表示されたスルームービー画と並べて表示することを特徴とする。
【発明の効果】
【００２０】
本発明によれば、撮影目的や撮影対象、記載媒体等に応じた構図サンプルデータを使用して構図を設定することができるとともに、撮影目的や撮影対象、記載媒体等に応じて撮影画像を評価してその評価結果を表示することにより、ユーザは、この評価結果を参考にして再度撮影を行うことができるので、商品画像を閲覧した人の商品の購買意欲を引き出すような商品画像を容易に撮影することができる。
【発明を実施するための最良の形態】
【００２１】
以下、添付図面に従って本発明に係る撮影支援システム及び撮影装置の好ましい実施の形態について説明する。
【００２２】
［撮影支援システムの構成］
図１は、本発明の第１の実施形態に係る撮影支援システムの構成を示すブロック図である。図１に示すように、本実施形態の撮影支援システムは、撮影装置１００と、撮影支援サービス提供装置（撮影支援サービス提供サーバ）１０とを含んでいる。撮影装置１００は、インターネットを介して撮影支援サービス提供装置１０と通信可能になっている。
【００２３】
［撮影支援サービス提供装置の構成］
図２は、撮影支援サービス提供装置１０の主要構成を示すブロック図である。図２に示すように、本実施形態の撮影支援サービス提供装置１０は、例えば、ウェブサーバにより構成され、ＣＰＵ１２、メモリ１４、構図サンプル記憶部１６、構図リスト送信部１８、リクエスト受付部２０、構図サンプル検索・送信部２２及び通信インターフェース部（通信Ｉ／Ｆ）２４を備えている。
【００２４】
ＣＰＵ１２は、図３に示すように、バス３６を介して撮影支援サービス提供装置１０内の各部に接続されており、撮影支援サービス提供装置１０の動作を制御する統括制御部である。
【００２５】
メモリ１４は、ＣＰＵ１２が処理するプログラム及び制御に必要な各種データ等が格納されるＲＯＭや、ＣＰＵ１２が各種の演算処理等を行う作業用領域及び画像処理領域となるＳＤＲＡＭ等を有している。
【００２６】
通信インターフェース部（通信Ｉ／Ｆ）２４は、インターネットとの間で所定のプロトコルに従って各種データの送受信を行う。
【００２７】
構図サンプル記憶部１６には、ユーザが商品画像を撮影するときに使用する構図サンプルのデータが記憶される。ここで、構図サンプルデータは、商品画像の撮影時に画像のレイアウトや撮影条件（撮影モードやフラッシュの使用の有無、絞り、撮影感度の設定等）を指定するためのデータであり、撮影目的、撮影対象及び記載媒体等に応じて用意されている。
【００２８】
構図リスト送信部１８は、撮影装置１００が接続された際に、構図サンプル記憶部１６に記憶された構図サンプルデータの選択用の項目リストを撮影装置１００に送信する。
【００２９】
リクエスト受付部２０は、撮影装置１００から構図サンプルの送信リクエストを受け付ける。
【００３０】
構図サンプル検索・送信部２２は、撮影装置１００からの送信リクエストに応じて構図サンプルを撮影装置１００に送信する。
【００３１】
［撮影装置の構成］
図３は、撮影装置１００の主要構成を示すブロック図である。図３に示すように、ＣＰＵ１０２は、バス１０４を介して撮影装置１００内の各部に接続されており、操作部１０６等からの操作入力に基づいて撮影装置１００の動作を制御する統括制御部である。
【００３２】
操作部１０６は、モード選択スイッチ、撮影スイッチ、メニュー／ＯＫキー、十字キー、キャンセルキー等を含んでいる。操作部１０６からの信号はＣＰＵ１０２に入力され、ＣＰＵ１０２は操作部１０６からの入力信号に基づいて撮影装置１００の各回路を制御し、例えば、レンズ駆動制御、撮影動作制御、画像処理制御、画像データの記録／再生制御、表示部１３４の表示制御等を行う。
【００３３】
モード選択スイッチは、撮影モードと再生モードとを設定するための操作手段である。撮影スイッチは、撮影開始の指示を入力する操作ボタンであり、半押し時にオンするＳ１スイッチと、全押し時にオンするＳ２スイッチとを有する２段ストローク式のスイッチで構成されている。メニュー／ＯＫキーは、表示部１３４にメニューを表示させる指令を行うためのメニューボタンとしての機能と、選択内容の確定及び実行等を指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上／下キーは撮影時のズームスイッチあるいは再生時の再生ズームスイッチとして機能し、左／右キーは再生モード時のコマ送り（順方向／逆方向送り）ボタンとして機能する。キャンセルキーは、選択項目等所望の対象の消去や指示内容の取消し、あるいは１つ前の操作状態に戻らせる時等に使用される。
【００３４】
メモリ１０８は、メモリ制御部１１０によって制御され、ＣＰＵ１０２が処理するプログラム及び制御に必要な各種データ等が格納されるＲＯＭや、ＣＰＵ１０２が各種の演算処理等を行う作業用領域及び画像処理領域となるＳＤＲＡＭ等を有している。
【００３５】
撮影装置１００は、メディアソケット（メディア装着部）１１２を有し、メディアソケット１１２には記録メディア１１４を装着することができる。記録メディア１１４の形態は特に限定されず、ｘＤピクチャカード（登録商標）、スマートメディア（登録商標）に代表される半導体メモリカード、可搬型小型ハードディスク、磁気ディスク、光ディスク、光磁気ディスク等の種々の媒体を用いることができる。メディアコントローラ１１６は、メディアソケット１１２に装着される記録メディア１１４に適した入出力信号の受渡しを行うために所要の信号変換を行う。
【００３６】
また、撮影装置１００は、インターネットや携帯電話用の通信網等の公衆回線網に接続するための通信手段として通信インターフェース部（通信Ｉ／Ｆ）１１８を備えている。なお、インターネットとの接続手段は、有線又は無線のいずれであってもよい。
【００３７】
次に、撮影装置１００の撮影機能について説明する。撮影モード時には、カラーＣＣＤ固体撮像素子１２４（以下の説明では、ＣＣＤ１２４と記載する）を含む撮像部に電源が供給され、撮影可能な状態になる。
【００３８】
レンズユニット１２０は、フォーカスレンズ及びズームレンズを含む撮影レンズと、絞りとを含む光学ユニットである。レンズ駆動部１２２は、フォーカスレンズ、ズームレンズ及び絞りを移動させるためのモータ及び上記レンズの位置を検出するためのセンサ等を備える。ＣＰＵ１０２は、レンズ駆動部１２２に制御信号を出力して、撮影レンズのフォーカシング、ズーミング及び絞りの制御を行う。
【００３９】
レンズユニット１２０を通過した光は、ＣＣＤ１２４の受光面に結像される。ＣＣＤ１２４の受光面には多数のフォトダイオード（受光素子）が２次元的に配列されており、各フォトダイオードには赤（Ｒ）、緑（Ｇ）、青（Ｂ）の原色カラーフィルタが所定の配列構造で配置されている。ＣＣＤ１２４の受光面に結像された被写体像は、各フォトダイオードによって入射光量に応じた量の信号電荷に変換される。この信号電荷は、ＣＰＵ１０２の指令に従って電荷量に応じたＲ、Ｇ、Ｂの電圧信号（画像信号）として順次読み出される。ＣＣＤ１２４は、各フォトダイオードの電荷蓄積時間（シャッタースピード）を制御する電子シャッター機能を有している。ＣＰＵ１０２は、ＣＣＤ１２４の受光面に配置されたフォトダイオードの電荷蓄積時間を制御する。
【００４０】
ＣＣＤ１２４から読み出されたＲ、Ｇ、Ｂの画像信号は、アナログ処理部（ＣＤＳ／ＡＭＰ）１２６によって、ＣＣＤ１２４の画素ごとにサンプリングホールド（相関２重サンプリング処理）されて増幅された後、Ａ／Ｄ変換器１２８に加えられてデジタル信号に変換される。Ａ／Ｄ変換器１２８によってデジタル信号に変換されたＲ、Ｇ、Ｂ信号は、画像入力制御部１３０を介してメモリ１０８のＲＡＭに記憶される。
【００４１】
画像信号処理部１３２は、同時化回路（単板ＣＣＤのカラーフィルタ配列に伴う色信号の空間的なズレを補間して色信号を同時式に変換する処理回路）、ホワイトバランス調整回路、ガンマ補正回路、輪郭補正回路、輝度・色差信号生成回路等を含む画像処理手段として機能し、ＣＰＵ１０２からの指令に従ってメモリ１０８を活用しながら所定の信号処理を行う。即ち、画像信号処理部１３２は、ＲＡＭに記憶されたデジタルのＲ、Ｇ、Ｂ信号を輝度信号（Ｙ信号）及び色差信号（Ｃｒ、Ｃｂ信号）に変換するとともに、ガンマ補正等の所定の処理を施してＲＡＭに格納する。
【００４２】
撮影画像を表示部１３４（例えば、液晶モニタ）にモニタ出力する場合には、ＲＡＭに格納された輝度／色差信号（Ｙ／Ｃ信号）が読み出されて、バス１０４を介して表示制御部１３６に送られる。表示制御部１３６は、入力されたＹ／Ｃ信号を表示用の所定方式のビデオ信号（例えば、ＮＴＳＣ方式のカラー複合画像信号）に変換して表示部１３４に出力する。
【００４３】
表示部１３４にスルームービー画表示を行う際には、ＣＣＤ１２４から出力される画像信号によってメモリ１０８のＲＡＭ内の画像データが定期的に書き換えられ、その画像データから生成される画像信号が表示部１３４に供給されることにより、撮影中の映像がリアルタイムに表示部１３４に表示される。撮影者は、表示部１３４に表示される映像（スルームービー画）によって撮影画角を確認できる。
【００４４】
レリーズボタンが半押しされると（Ｓ１オン）、撮影装置１００はＡＥ及びＡＦ処理を開始する。即ち、ＣＣＤ１２４から出力された画像信号はＡ／Ｄ変換後に画像入力制御部１３０を介してＣＰＵ１０２に入力される。
【００４５】
ＣＰＵ１０２は、１画面を複数の分割エリア（例えば、８×８又は１６×１６）に分割して、この分割エリアごとにＲ、Ｇ、Ｂの画像信号を積算する。そして、ＣＰＵ１０２は、この積算値に基づいて被写体の明るさ（被写体輝度）を検出して撮影に適した露出値（撮影ＥＶ値）を算出し、この露出値と所定のプログラム線図に従って絞り値とシャッタースピードを決定して、ＣＣＤ１２４の電子シャッター及び絞りを制御して適正な露光量を得る。
【００４６】
また、ＣＰＵ１０２は、自動ホワイトバランス調整時に、分割エリアごとにＲ、Ｇ、Ｂの画像信号の色別の平均積算値を算出して、分割エリアごとにＲ／Ｇ及びＢ／Ｇの比を求め、Ｒ／Ｇ、Ｂ／Ｇの値のＲ／Ｇ、Ｂ／Ｇ軸座標の色空間における分布等に基づいて光源種の判別を行う。そして、ＣＰＵ１０２は、判別された光源種に応じてＲ、Ｇ、Ｂの画像信号に対するゲイン値（ホワイトバランスゲイン）を制御し、Ｒ、Ｇ、Ｂの各色チャンネルの画像信号に補正をかける。
【００４７】
撮影装置１００におけるＡＦ制御は、例えば、画像信号のＧ信号の高周波成分が極大になるようにフォーカスレンズを移動させるコントラストＡＦが適用される。即ち、ＣＰＵ１０２は、ＣＣＤ１２４の有効画素領域の一部（例えば、有効画素領域の中央部）に予め設定されているＡＦエリア内の信号を切り出して、ハイパスフィルタによりＡＦエリア内のＧ信号の高周波成分のみを通過させ、この高周波成分の絶対値データを積算し、ＡＦエリア内の被写体像に関する焦点評価値（ＡＦ評価値）を算出する。
【００４８】
ＣＰＵ１０２は、レンズ駆動部１２２を制御してフォーカスレンズを移動させながら、複数のＡＦ検出ポイントで焦点評価値を演算し、焦点評価値が極大となるレンズ位置を合焦位置として決定する。そして、ＣＰＵ１０２は、レンズ駆動部１２２を制御して、決定した合焦位置にフォーカスレンズを移動させる。なお、焦点評価値の演算はＧ信号を利用する態様に限らず、輝度信号（Ｙ信号）を利用してもよい。
【００４９】
レリーズボタンが半押し（Ｓ１オン）されてＡＥ／ＡＦ処理が行われた後、レリーズボタンが全押しされると（Ｓ２オン）、記録用の撮影動作がスタートする。Ｓ２オンに応動して取得された画像データは画像信号処理部１３２において輝度／色差信号（Ｙ／Ｃ信号）に変換され、ガンマ補正等の所定の処理が施された後、メモリ１０８のＲＡＭに格納される。
【００５０】
メモリ１０８に格納されたＹ／Ｃ信号は、圧縮・伸張処理部１３８によって所定のフォーマットに従って圧縮された後、メディアコントローラ１１６を介して記録メディア１１４に記録される。例えば、静止画についてはＪＰＥＧ（Joint Photographic Experts Group）形式、動画についてはＡＶＩ（Audio Video Interleaving）形式、Motion-JPEGの画像ファイルとして記録される。
【００５１】
再生モード時には、記録メディア１１４に記録されている最終の画像ファイル（最後に記録された画像ファイル）の圧縮データが読み出される。最後の記録に係る画像ファイルが静止画の場合、読み出された圧縮データは、圧縮・伸張処理部１３８によって非圧縮のＹＣ信号に伸張され、画像信号処理部１３２及び表示制御部１３６によって表示用の信号に変換された後、表示部１３４に出力される。これにより、当該画像ファイルの画像内容が表示部１３４に表示される。
【００５２】
静止画の１コマ再生中（動画の先頭フレーム再生中も含む）に、十字ボタンの右ボタン又は左ボタンを操作することによって、再生対象の画像ファイルを切り換えること（順コマ送り／逆コマ送り）ができる。コマ送りされた位置の画像ファイルは記録メディア１１４から読み出され、上記と同様にして静止画や動画が表示部１３４に再生表示される。
【００５３】
［構図サンプルデータの取得・表示処理］
次に、撮影モード時における構図サンプルデータを取得して表示する処理について説明する。図３に示すように、撮影装置１００は、接続制御部１４０、構図サンプル選択部１４２、構図サンプル取得部１４４及び構図サンプル出力部１４６を備えている。
【００５４】
接続制御部１４０は、撮影モード時において、撮影支援サービス提供装置１０との間の接続状態を検出し、操作部１０６からの指示入力に応じて撮影支援サービス提供装置１０との間の接続の開始、終了を指示する指令を通信Ｉ／Ｆ１１８に送信して、撮影支援サービス提供装置１０との間の接続を制御する。撮影支援サービス提供装置１０との間の接続が開始されると、撮影支援サービス提供装置１０の構図リスト送信部１８から構図サンプルデータの選択用のメニュー項目のリストが送信される。
【００５５】
構図サンプル選択部１４２は、上記メニュー項目リストを表示制御部１３６に出力し、撮影支援サービス提供装置１０から取得する構図サンプルデータを選択するための構図サンプル選択メニューを表示部１３４に表示させる。
【００５６】
構図サンプル取得部１４４は、構図サンプル選択メニューにおいて選択されたメニュー項目の選択結果の情報を含む送信リクエストを撮影支援サービス提供装置１０に送信し、撮影支援サービス提供装置１０から送信された構図サンプルデータを取得する。撮影支援サービス提供装置１０は、撮影装置１００から受け付けたメニュー項目の選択結果に応じて、構図サンプル記憶部１６から構図サンプルデータを取得して撮影装置１００に送信する。
【００５７】
構図サンプル出力部１４６は、撮影支援サービス提供装置１０から取得した構図サンプルデータを表示制御部１３６に出力し、構図サンプルデータを表示部１３４に表示させる。
【００５８】
なお、取得した構図サンプルデータは、撮影モードの終了時又は撮影装置１００の電源オフ時に自動的に消去されるようにしてもよいし、メモリ１０８又は記録メディア１１４に構図サンプルデータを保存しておき、メニュー選択により読み出して使用できるようにしてもよい。
【００５９】
図４は、構図サンプル選択メニューを示す図である。図４に示すように、構図サンプル選択メニューには、撮影目的、撮影対象及び掲載媒体の３つの選択メニューが表示されており、ユーザは、操作部１０６からの指示入力により、各選択メニューから所望の項目を選択する。例えば、撮影目的の選択メニューにおいて、項目「住宅情報」が選択された場合（図４（ａ））、次の撮影対象の選択メニューに、「正面」、「玄関」、「部屋」、「浴室」及び「台所」等の項目が表示されて選択可能になる（図４（ｂ））。また、掲載媒体の選択メニューでは、撮影した画像を掲載する媒体を示す項目として、例えば、ＰＣサイト、携帯サイト及び雑誌等が選択可能である（図４（ｃ））。なお、選択メニューの項目の種類は、図４（ａ）から図４（ｃ）の記載に限定されるものではない。
【００６０】
撮影支援サービス提供装置１０は、上記のようにして選択された項目の情報に基づいて、住宅の部屋の内部を撮影するのに適した構図サンプルデータを選択して撮影装置１００に送信する。
【００６１】
図５は、構図サンプルデータの例を示す図である。構図サンプルデータは、住宅の部屋の内部を撮影する際に、画面内における撮影対象（窓及び床）の適切な配置の情報を含んでいる。撮影モード時には、図５に示すように、この窓及び床の適切な配置を示す枠Ｆ１０及びＦ１２が表示部１３４に透過表示される。
【００６２】
また、構図サンプルデータは、選択されたメニュー項目に応じた撮影条件の情報を含んでおり、構図サンプルデータを使用することにより撮影条件が自動的に設定される。なお、構図サンプルデータによって設定された撮影条件は、表示部１３４に表示される。例えば、選択された撮影対象に応じて、撮影モード（マクロモードやシーンポジションモード）、フラッシュのオン／オフ、撮影感度が自動的に設定される。また、選択された掲載媒体に応じて画像のサイズが自動的に設定される。
【００６３】
図６は、構図サンプルデータを取得して画像を撮影する処理の流れを示すフローチャートである。まず、撮影装置１００の接続制御部１４０により撮影支援サービス提供装置１０との間の接続が開始されると（ステップＳ１０）、撮影支援サービス提供装置１０の構図リスト送信部１８から構図サンプルデータの選択用のメニュー項目リストが送信される（ステップＳ１２）。
【００６４】
次に、撮影装置１００の表示部１３４に、撮影支援サービス提供装置１０から取得する構図サンプルデータを選択するための構図サンプル選択メニューが表示される（ステップＳ１４）。そして、構図サンプル選択メニューにおいて撮影目的、撮影対象及び掲載媒体等のメニュー項目が選択されて、操作部１０６のメニュー／ＯＫキーが押下されると（ステップＳ１６）、メニュー項目の選択結果が撮影支援サービス提供装置１０に送信される（ステップＳ１８）。
【００６５】
次に、撮影支援サービス提供装置１０において、構図サンプル検索・送信部２２により、上記メニュー項目の選択結果に適合する構図サンプルデータが検索されて（ステップＳ２０）、検索により得られた構図サンプルデータが撮影装置１００に送信される（ステップＳ２２）。
【００６６】
次に、撮影装置１００において、構図サンプル取得部１４４により構図サンプルデータを取得すると、この構図サンプルデータが撮影装置１００の表示部１３４に透過表示され（ステップＳ２４）、撮影が実行される（ステップＳ２６）。
【００６７】
本実施形態によれば、撮影目的や撮影対象、記載媒体等に応じた構図サンプルデータを使用して構図や撮影条件を設定することにより、商品画像を閲覧した人の商品の購買意欲を引き出すような商品画像を容易に撮影することができる。
【００６８】
［第２の実施形態］
次に、本発明の第２の実施形態について説明する。なお、本実施形態の構成のうち、上記第１の実施形態と同様の構成については、同一の符号を付して説明を省略する。
【００６９】
本実施形態では、構図サンプルデータは、撮影目的、撮影対象及び記載媒体等の所定の条件に合致する被写体を撮影した画像であり、撮影目的、撮影対象及び記載媒体等の条件に応じて用意されている。
【００７０】
図７は、撮影モード時の表示部１３４における表示の例を示す図である。図７に示すように、表示部１３４には、スルームービー画を表示する表示領域Ａ１０と、構図サンプルデータを表示する表示領域Ａ１２が設けられており、ユーザは、スルームービー画と並べて表示された構図サンプルデータを参考にして画像の構図を調整して撮影することができる。
【００７１】
図８は、サンプル画像を取得して画像を撮影する処理の流れを示すフローチャートである。まず、撮影装置１００の接続制御部１４０により撮影支援サービス提供装置１０との間の接続が開始されると（ステップＳ３０）、撮影支援サービス提供装置１０の構図リスト送信部１８から構図サンプルデータの選択用のメニュー項目リストが送信される（ステップＳ３２）。
【００７２】
次に、撮影装置１００の表示部１３４に、撮影支援サービス提供装置１０から取得する構図サンプルデータを選択するための構図サンプル選択メニューが表示される（ステップＳ３４）。そして、構図サンプル選択メニューにおいて撮影目的、撮影対象及び掲載媒体等のメニュー項目が選択されて、操作部１０６のメニュー／ＯＫキーが押下されると（ステップＳ３６）、メニュー項目の選択結果が撮影支援サービス提供装置１０に送信される（ステップＳ３８）。
【００７３】
次に、撮影支援サービス提供装置１０において、構図サンプル検索・送信部２２により、上記メニュー項目の選択結果に適合する構図サンプルデータが検索されて（ステップＳ４０）、検索により得られた構図サンプルデータが撮影装置１００に送信される（ステップＳ４２）。
【００７４】
次に、撮影装置１００において、構図サンプル取得部１４４により構図サンプルデータを取得すると、この構図サンプルデータが撮影装置１００の表示部１３４にスルームービー画と並べて表示され（ステップＳ４４）、撮影が実行される（ステップＳ４６）。
【００７５】
本実施形態によれば、撮影目的や撮影対象、記載媒体等に応じたサンプル画像をスルームービー画とともに表示して使用して構図を設定することにより、商品画像を閲覧した人の商品の購買意欲を引き出すような商品画像を容易に撮影することができる。
【００７６】
［第３の実施形態］
次に、本発明の第３の実施形態について説明する。なお、本実施形態の構成のうち、上記の実施形態と同様の構成については、同一の符号を付して説明を省略する。
【００７７】
図９は、本発明の第３の実施形態に係る撮影支援サービス提供装置１０の主要構成を示すブロック図である。図９に示すように、本実施形態の撮影支援サービス提供装置１０は、ＣＰＵ１２、メモリ１４、画像種リスト送信部３０、評価リクエスト受付部３２、撮影画像評価部３４及び通信インターフェース部（通信Ｉ／Ｆ）２４を備えており、撮影装置１００により撮影された画像を評価する機能を有する。
【００７８】
画像種リスト記憶部２８は、撮影支援サービス提供装置１０において評価することが可能な画像の種類を示す画像種リストを記録する。
【００７９】
画像種リスト送信部３０は、撮影支援サービス提供装置１０において評価することが可能な画像の種類を示す画像種リストを撮影装置１００に送信する。ここで、画像種リストは、例えば、撮影目的、撮影対象及び掲載媒体等の条件により、撮影支援サービス提供装置１０において評価することが可能な画像種を特定したものである。
【００８０】
評価リクエスト受付部３２は、撮影装置１００から撮影画像及び撮影画像の種類の選択結果を受け付ける。
【００８１】
撮影画像評価部３４は、上記撮影画像種の選択結果に基づいて撮影画像を評価し、通信Ｉ／Ｆ２４を介して撮影画像の評価結果を撮影装置１００に対して送信する。
【００８２】
図１０は、本発明の第３の実施形態に係る撮影装置１００の主要構成を示すブロック図である。図１０に示すように、撮影装置１００は、接続制御部１５０、メニュー項目選択部１５２、評価リクエスト送信部１５４及び評価結果取得部１５６を備えている。
【００８３】
接続制御部１５０は、撮影モード時において、撮影支援サービス提供装置１０との間の接続状態を検出し、操作部１０６からの指示入力に応じて撮影支援サービス提供装置１０との間の接続の開始、終了を指示する指令を通信Ｉ／Ｆ１１８に送信して、撮影支援サービス提供装置１０との間の接続を制御する。撮影支援サービス提供装置１０との間の接続が開始されると、撮影支援サービス提供装置１０の画像種リスト送信部３０から評価対象の画像種選択用のメニュー項目のリストが送信される。
【００８４】
メニュー項目選択部１５２は、上記メニュー項目リストを表示制御部１３６に出力し、画像種を選択するためのサンプル画像選択メニューを表示部１３４に表示させる。なお、画像種選択メニューのメニュー項目は、撮影目的、撮影対象及び掲載媒体等であり、例えば、図４の例と同様のＧＵＩを介して選択入力が受け付けられる。
【００８５】
評価リクエスト送信部１５４は、撮影画像と、画像種選択メニューにおいて選択されたメニュー項目の選択結果の情報とを含む評価リクエストを撮影支援サービス提供装置１０に送信する。撮影支援サービス提供装置１０は、撮影装置１００から受け付けたメニュー項目の選択結果に応じて、撮影画像を評価して、その評価結果を撮影装置１００に送信する。
【００８６】
評価結果取得部１５６は、撮影画像の評価結果を撮影支援サービス提供装置１０から取得し、この評価結果を表示制御部１３６に出力して撮影画像とともに表示部１３４に表示させる。
【００８７】
図１１は、撮影画像の評価結果の表示の例を示す図である。図１１に示すように、撮影支援サービス提供装置１０による評価結果は、画像の点数、及び明るさや構図に関するアドバイスを含んでいる。
【００８８】
なお、上記の評価結果は、撮影モードの終了時又は撮影装置１００の電源オフ時に自動的に消去されるようにしてもよいし、メモリ１０８又は記録メディア１１４に保存しておき、再生モード時に読み出して表示するようにしてもよい。
【００８９】
図１２は、画像の撮影及び評価の処理の流れを示すフローチャートである。まず、撮影装置１００の接続制御部１５０により撮影支援サービス提供装置１０との間の接続が開始されると（ステップＳ５０）、撮影支援サービス提供装置１０の画像種リスト送信部３０から評価対象の画像種選択用のメニュー項目リストが送信される（ステップＳ５２）。
【００９０】
次に、撮影装置１００の表示部１３４に、評価対象となる撮影画像の画像種を選択するための画像種選択メニューが表示され（ステップＳ５４）、サンプル画像選択メニューにおいて撮影目的、撮影対象及び掲載媒体等のメニュー項目が選択されて、操作部１０６のメニュー／ＯＫキーが押下されると画像種の選択結果が確定する（ステップＳ５６）。
【００９１】
次に、画像が撮影されると（ステップＳ５８）、撮影画像とともに、メニュー項目の選択結果が撮影支援サービス提供装置１０に送信される（ステップＳ６０）。なお、ステップＳ５８において撮影画像を送信する際には、画像の評価に必要最低限の解像度が維持される範囲で撮影画像のファイルサイズを落とすようにしてもよい。
【００９２】
次に、撮影支援サービス提供装置１０において、撮影画像評価部３４により、上記メニュー項目の選択結果に適合する撮影画像の評価方法が検索され（ステップＳ６２）、撮影画像が評価されて（ステップＳ６４）、撮影画像の評価結果が撮影装置１００に送信される（ステップＳ６６）。
【００９３】
次に、撮影装置１００において、評価結果取得部１５６により画像の評価結果を取得すると、図１１に示すように、この評価結果と撮影画像が撮影装置１００の表示部１３４に表示される（ステップＳ６８）。
【００９４】
本実施形態によれば、撮影目的や撮影対象、記載媒体等に応じて撮影画像が評価されてその評価結果が表示されるので、ユーザは、この評価結果を参考にして再度撮影を行うことができ、商品画像を閲覧した人の商品の購買意欲を引き出すような商品画像を容易に撮影することができる。
【００９５】
なお、本実施形態では、撮影装置１００を撮影支援サービス提供装置１０と接続して画像種を設定した後に撮影を行うようにしたが、画像を撮影した後に画像種の設定と撮影画像の送信をまとめて行うようにしてもよい。
【００９６】
また、別の実施形態として、画像種に応じて撮影画像を評価するための画像評価用のアプリケーションを撮影支援サービス提供装置１０からダウンロードし、撮影装置１００側で画像の評価及び評価結果の表示を行うことも可能である。また、上記第１又は第２の実施形態と、第３の実施形態とを合わせた実施形態も可能である。
【図面の簡単な説明】
【００９７】
【図１】本発明の第１の実施形態に係る撮影支援システムの構成を示すブロック図
【図２】撮影支援サービス提供装置１０の主要構成を示すブロック図
【図３】撮影装置１００の主要構成を示すブロック図
【図４】構図サンプル選択メニューを示す図
【図５】構図サンプルデータの例を示す図
【図６】構図サンプルデータを取得して画像を撮影する処理の流れを示すフローチャート
【図７】本発明の第２の実施形態に係る撮影装置１００の撮影モード時の表示部１３４における表示の例を示す図
【図８】本発明の第２の実施形態に係る撮影支援サービス提供装置１０及び撮影装置１００においてサンプル画像を取得して画像を撮影する処理の流れを示すフローチャート
【図９】本発明の第３の実施形態に係る撮影支援サービス提供装置１０の主要構成を示すブロック図
【図１０】本発明の第３の実施形態に係る撮影装置１００の主要構成を示すブロック図
【図１１】撮影画像の評価結果の表示の例を示す図
【図１２】画像の撮影及び評価の処理の流れを示すフローチャート
【符号の説明】
【００９８】
１０…撮影支援サービス提供装置、１２…ＣＰＵ、１４…メモリ、１６…構図サンプル記憶部、１８…構図リスト送信部、２０…リクエスト受付部、２２…構図サンプル検索・送信部、２４…通信インターフェース部、２６…バス、２８…画像種リスト記憶部、３０…画像種リスト送信部、３２…評価リクエスト受付部、３４…撮影画像評価部、１００…撮影装置、１０２…ＣＰＵ、１０４…バス、１０６…操作部、１０８…メモリ、１１０…メモリ制御部、１１２…メディアソケット、１１４…記録メディア、１１６…メディアコントローラ、１１８…通信インターフェース部、１２０…レンズユニット、１２２…レンズ駆動部、１２４…ＣＣＤ、１２６…アナログ処理部、１２８…Ａ／Ｄ変換器、１３０…画像入力制御部、１３２…画像信号処理部、１３４…表示部、１３６…表示制御部、１３８…圧縮・伸張処理部、１４０…接続制御部、１４２…構図サンプル選択部、１４４…構図サンプル取得部、１４６…構図サンプル出力部、１４８…、１５０…接続制御部、１５２…メニュー項目選択部、１５４…評価リクエスト送信部、１５６…評価結果取得部
【図１】
2008048331.tif 000003
【図２】
2008048331.tif 000004
【図３】
2008048331.tif 000005
【図４】
2008048331.tif 000006
【図５】
2008048331.tif 000007
【図６】
2008048331.tif 000008
【図７】
2008048331.tif 000009
【図８】
2008048331.tif 000010
【図９】
2008048331.tif 000011
【図１０】
2008048331.tif 000012
【図１１】
2008048331.tif 000013
【図１２】
2008048331.tif 000014